【事件の表示】
　平成　７年特許願第３４６１４４号「デジタル画像形成装置」拒絶査定不服審判事件〔平成　９年　６月２０日出願公開、特開平　９−１６３１２１〕について、次のとおり審決する。
【結　論】
　本件審判の請求は、成り立たない。
【理　由】
１．手続の経緯
　本願は、平成７年１２月１２日の出願であって、平成１６年３月２６日付で拒絶査定がされ、これに対し、平成１６年４月３０日に拒絶査定不服審判が請求されたものである。
　
２．本願発明
　本願の請求項１に係る発明は、平成１５年１月２１日付の手続補正書により補正された明細書及び図面の記載からみて、その特許請求の範囲の請求項１に記載された次のとおりのものと認める。（以下「本願発明」という。）
　
「原稿を走査して画像信号を発生させる画像信号発生手段と、前記画像信号に基づいて記録紙上に画像を形成する画像形成手段と、制御手段とを備えたデジタル画像形成装置において、
　操作キーから入力された情報に基づいてブックセンター位置を設定するブックセンター位置設定手段と、
　前記ブックセンター位置設定手段により設定されたブックセンター位置を基準として、前記画像信号発生手段から出力された画像信号に基づいてブック原稿の左右ページの画像領域を検出すると共に、検出された各画像領域の傾きを補正する補正手段を備え、
　前記制御手段は、前記補正手段から出力された補正済みの画像信号を前記画像形成手段に出力すること
を特徴とするデジタル画像形成装置。」
　
３．引用例
　原査定の拒絶の理由に引用された、特開平５−４１７８９号公報（以下、「引用例」という。）には、図面と共に次の事項が記載されている。
　
ア「【特許請求の範囲】
【請求項１】光学系により原稿を走査して複数のラインデータからなる画像データを得、該画像データをメモリに一旦蓄積し、蓄積された画像データを編集・加工した後記録部に出力して画像形成を行う画像形成装置において、
該メモリに蓄積された画像データより該原稿の外形形状に対応した画像領域データを抽出するデータ抽出手段と、
該画像領域データより該原稿の中心に相当する画像センターを演算する演算手段と、
演算された該画像センターに基づき該画像データを複数の領域に分割するデータ編集・加工手段とを備えた画像形成装置。」（２頁左欄１行〜１４行）
　
イ「【００２０】（画像出力部３０）
画像出力部３０はメモリ４０に蓄積された最終的な画像データをレーザ駆動回路３４に出力し、該レーザ駆動回路３４により半導体レーザを駆動してレーザビームをプリンタ部に出射する。これにより記録しに対するコピーが行われる。以下にその詳細を説明する。」（３頁右欄１２行〜１７行）
　
ウ「【００２３】（ＤＰＣＭモード設定時における画像処理回路２７の処理内容）画像処理回路２７はＤＰＣＭモードが設定されると、以下に示す手順で原稿像の領域に対応した画像領域を判定し、続いて該画像領域のセンターを演算し、演算されたセンタによって画像領域を２分割する。２分割された画像データは圧縮器２８により上記した信号処理を施され、その後、画像出力部３０に転送される。これにより、例えばブック型原稿の見開きページが１ページずつ分割されてコピーされる２分割コピーが行われる。
【００２４】図２は本発明ディジタル複写機の操作パネル６０を示しており、ＤＰＣＭモードの設定は該操作パネル６０に設けられる以下のキーをオペレータが操作して行われる。すなわち、まず、プラス機能キー６１をＯＮ操作し、続いてＤＰＣＭモードキー６２および左右分割キー６３ａ又は上下分割キー６３ｂをＯＮ操作して行われる。なお、左右分割キー６３ａをＯＮ操作すると、原稿領域に対応した画像領域が左右に２分割された分割コピーが行われる。これに対して、上下分割キー６３ｂをＯＮ操作すると、上下に２分割された分割コピーが行われる。
【００２５】以下に図３に示すブック型原稿７０を例にとって本発明における分割コピーモード、すなわち該モードにおける画像処理回路２７の処理内容を説明する。図３（ａ）に示すように、原稿台ガラス１上にはブック型原稿７０が基準線に対して少し斜めになった状態で載置されており、スキャナが該ブック型原稿７０の見開きページを図中Ｙで示す副走査方向に光学走査し、１ライン毎のラインデータＮ１、Ｎ２、Ｎ３…が所定のピッチで画像入力部１０に与えられる。なお、ＸはＣＣＤの配設方向、すなわち主走査方向を示している。
【００２６】画像入力部１０を介してメモリ４０に蓄積されたラインデータは画像処理部２０の誤差拡散回路２６迄の処理がなされた後、画像処理回路２７に入力される。画像処理回路２７は、誤差拡散回路２６を介して入力される２値化データの黒画素に着目し、ラインデータ毎に該黒画素の主走査方向における座標値の最小値Ｘminと最大値Ｘmaxを抽出する。
【００２７】因みに、図３（ａ）では、ブック型原稿７０が走査方向に対して斜めになっているため、ブック型原稿７０の右端上縁部を通るラインを走査したラインデータＮ１では、最小値Ｘminと最大値Ｘmaxが一致し、ラインデータＮ２では最小値Ｘminがブック型原稿７０の略中央部寄りの位置に相当し、最大値Ｘmaxがブック型原稿７０の右端縁に相当する。また、ラインデータＮ３では、最小値Ｘminがブック型原稿７０の左端上縁に相当し、最大値Ｘmaxがブック型原稿７０の右端縁に相当している。
【００２８】各ラインデータＮ１、Ｎ２、Ｎ３…について最小値Ｘminおよび最大値Ｘmaxを抽出すると、次にこれらラインデータＮ１、Ｎ２、Ｎ３毎の最小値Ｘmin同士と最大値Ｘmax同士を結んだ直線で近似される矩形状の図形データを得る。続いて、この図形を最小面積として囲むような図３（ｂ）に示される矩形領域７１を抽出する。具体的には、囲む矩形の辺にあわせながらその時の面積を画像処理回路２７が逐次計算し、この計算結果より面積が最小となる矩形領域７１を抽出し、これを原稿領域であると判定する。すなわち、面積が最小となる矩形領域７１が原稿領域に最も近似した形状になるからである。
【００２９】次いで、該矩形領域７１の４頂点の座標値（Ｘmin，Ｙ1）、（Ｘ1，Ｙmax）、（Ｘ2，Ｙmin）、（Ｘmax，Ｙ2）を得、続いて該４頂点の座標値に基づき下記式〜式に示す演算を実行し、抽出した矩形領域のセンターを求める。
【００３０】
Ｘ′＝（Ｘmin＋Ｘ1）／２…(1)
Ｙ′＝（Ｙmax＋Ｙ1）／２…(2)
Ｘ″＝（Ｘmax＋Ｘ2）／２…(3)
Ｙ″＝（Ｙmin＋Ｙ2）／２…(4)
但し、座標値（Ｘ′，Ｙ′）は矩形領域７１の上辺のセンター、座標値（Ｘ″，Ｙ″）は該矩形領域７１の下辺のセンターである。
【００３１】以上の演算結果により、図３（ｃ）に示す矩形領域７１のセンターラインＣＬが求められ、画像処理回路２７は該センターラインＣＬに沿って原稿領域に対応した画像領域を２分割する。そして、これと同時に矩形領域７１の走査方向に対する傾きを補正し、補正後の２分割された画像データ、すなわちブック型原稿７０の１ページ毎の画像データを圧縮器２８に出力する。これにより、以後画像出力部３０およびプリンタ部により記録紙に対してブック型原稿７０の１ページ毎のコピーが行われる。」（３頁右欄３４行〜４頁右欄１６行）
　
　したがって、アないしウの記載及び図面から、引用例１には
「ブック型原稿が原稿台ガラス上に載置され、左右分割キーにより原稿領域に対応した画像領域が左右に２分割された分割コピーを行う指示を受けると、原稿を走査して画像データを得、画像データより原稿の外形形状に対応した矩形領域を抽出し、矩形領域の４頂点の座標値より矩形領域のセンターラインを求め、センターラインに基づき原稿領域に対応した画像領域を２分割し、同時に矩形領域の傾きを補正する画像処理回路と、補正後の２分割された画像データを得、この画像データにより記録紙に対するコピーを行う画像出力部を備えた画像形成装置。」
の発明（以下、「引用発明」という。）が記載されている。
　
４．対比
　引用発明の「画像データ」、「画像出力部」、「センターライン」、　　「ブック型原稿」は、それぞれ本願発明の「画像信号」、「画像形成手　　段」、「ブックセンター位置」、「ブック原稿」に相当する。
　
　引用発明の「画像形成装置」はディジタル複写機に関するものであり、　ディジタルデータを扱うものであることは明らかであるから、本願発明の　「デジタル画像形成装置」に相当する。
　
　引用発明は原稿を走査して画像信号を得るものであり、本願発明の「画像信号発生手段」に相当する構成を有しているといえる。
　
　引用発明は、傾き補正された画像信号により画像形成手段が記録紙上に画像を形成するものであり、傾き補正された画像信号を画像出力部に与えるための構成、すなわち本願発明の「制御手段」に相当する構成を有しているといえる。
　
　引用発明は、原稿領域に対応した画像領域が左右に２分割された分割コ　ピーを行う指示を受け、ブックセンター位置に基づいて原稿領域に対応した画像領域を２分割するものであり、画像領域が左右ページに分割されることから、本願発明の「左右ページの画像領域を検出する」構成を有しているといえる。
　
　本願発明の補正手段と、引用発明の画像処理回路は、画像領域の傾きを補正する点で一致している。
　
　したがって、本願発明と引用発明とを比較すると、
「原稿を走査して画像信号を発生させる画像信号発生手段と、画像信号に基づいて記録紙上に画像を形成する画像形成手段と、制御手段とを備えたデジタル画像形成装置において、ブックセンター位置を基準として、画像信号発生手段から出力された画像信号に基づいてブック原稿の左右ページの画像領域を検出するとともに、画像領域の傾きを補正する構成を備え、制御手段は補正済みの画像信号を画像形成手段に出力することを特徴とするデジタル画像形成装置。」
である点で一致し、以下の点で相違する。
　
（相違点１）
　本願発明が、操作キーから入力された情報に基づいてブックセンター位置を設定するブックセンター位置設定手段を有するのに対して、引用発明は原稿の外形形状に対応した矩形領域の４頂点に基づいてブックセンター位置を求めるものである点。
　
（相違点２）
　本願発明の補正手段が、検出された左右ページの各画像領域の傾きを補正するのに対して、引用発明は検出された左右ページの画像領域を一体として回転させて傾き補正するものである点。
　
５．判断
　上記相違点について検討する。
　
（相違点１）について
　画像編集を行う際に基準となる位置情報の設定手法として、キー操作により指示入力すること及び所定の演算式に基づいて算出することは、いずれも広く知られており、簡便性や自由度等の観点に基づいて適宜選択する事項である。例えば、特開平７−７４９３０号公報の５頁右欄４１行から６頁左欄１１行には、画像分割位置の指定方法として、入力手段からの指定による方法と、自動的に決定する方法が記載されている。
　よって、引用発明の、ブックセンター位置を求める構成に替えて、キー操作により入力された情報に基づいてブックセンター位置を設定する構成を設けることは、当業者が容易になし得たことである。
　
（相違点２）について
　スキャナなどにより画像を読み取る技術において、ページ単位で傾き補正処理を行うことは周知である。例えば、特開平４−２４８８５号公報の従来技術、特開平６−１８０７４０号公報に記載されている。
　よって、引用発明において、検出された左右ページを一体として回転させて傾き補正する構成に替えて、左右ページを独立に傾き補正する構成を設けることは、当業者が容易になし得たことである。
　
６．むすび
　以上のとおり、本願発明は、引用例に記載された発明に基づいて、当業者が容易に発明をすることができたものであるから、特許法２９条２項の規定により特許を受けることができない。
　したがって、本願は、他の請求項について検討するまでもなく、拒絶されるべきものである。
　よって、結論のとおり審決する。